(57)【要約】【課題】  小さな空間のみを必要とし、レンズ組立体の回転部により可動である機械的シャッタブロッカを有するカメラフレーム組立体を提供する。【解決手段】  本発明のカメラフレーム組立体は、フレームと、フレームに取付けられるシャッタレリーズを有する。シャッタレリーズは、レディ状態からレリーズ状態に選択的に開放可能である。フレームに接合するレンズ基部は、光学軸を画成する。レンズバレルは、レンズ基部に対し第１の位置と第２の位置との間を、光学軸に沿って可動である。ツイストリングは、右側構成から、中間構成を通り、左側構成に、レンズ基部に対し逆方向に回転可能である。ツイストリングは、レンズバレルに機械的に連結し、ツイストリングを右側構成から左側構成に回転することにより、レンズバレルは第１の位置から第２の位置に動かされる。ブロッカは、フレームに接合する第１の端と、ツイストリングに接続する第２の端と、端間の係合部を有する。係合部は、中間構成では、シャッタレリーズをロックし、右側構成及び左側構成のいずれかでは、シャッタレリーズのロックを解除する。【選択図】  図１
2004206111.tif 000002
【特許請求の範囲】
【請求項１】
フレームと、
前記フレームに取付けられ、レディ状態からレリーズ状態に選択的に開放可能であるシャッタレリーズと、
前記フレームに接合し、光学軸を画成するレンズ基部と、
前記レンズ基部に対し第１の位置と第２の位置との間を前記光学軸に沿って可動であるレンズバレルと、
前記レンズ基部に対し不変の軸方向関係で保持され、右側構成及び左側構成と、前記右側構成と前記左側構成間の複数の中間構成との間を、前記レンズ基部に対し回転可能であり、前記レンズバレルに機械的に連結するツイストリングと、
前記フレームに接合する第１の端と前記ツイストリングに接続する第２の端を有し、前記端間に係合部を有し、前記係合部は、前記ツイストリングが前記中間構成にあるときには、前記シャッタレリーズを前記レリーズ状態ではないようにさせ、前記シャッタレリーズは、前記ツイストリングが前記右側構成及び前記左側構成のいずれかにあるときには、ロックが解除されるブロッカと、を含み、
前記右側構成から前記左側構成への前記ツイストリングの回転は、前記レンズバレルを前記第１の位置から前記第２の位置に動かす、カメラフレーム組立体。
【請求項２】
フレームと、
前記フレームに取付けられるシャッタレリーズと、
光学軸を画成するレンズ基部と、
前記レンズ基部に対し不変の軸方向関係で保持され、右側構成及び左側構成と、前記右側構成と前記左側構成の間の複数の中間構成との間を、前記レンズ基部に対して回転可能であるツイストリングと、
前記フレームに接合する第１の端と前記ツイストリングに接続する第２の端を有し、前記光学軸を横断する方向において、第１のロック解除位置及び第２のロック解除位置と、前記第１のロック解除位置と前記第２のロック解除位置の間の複数のロック位置との間を、前記ツイストリングによって直線的に可動であるブロッカと、を含み、
前記ブロッカは、前記ツイストリングが前記中間構成にあるときに、前記ロック位置に置かれ、
前記ブロッカは、前記ツイストリングが前記右側構成及び前記左側構成にあるときに、前記第１のロック解除位置及び前記第２のロック解除位置に、それぞれ、置かれ、
前記ブロッカは、前記端間に、係合部を有し、
前記係合部は、前記ツイストリングが前記中間構成にあるときに、前記シャッタレリーズをロックし、
前記係合部は、前記ツイストリングが前記右側構成及び前記左側構成のいずれかにあるときに、前記シャッタレリーズのロックを解除する、カメラフレーム組立体。
【発明の詳細な説明】
【技術分野】
【０００１】
本発明は、写真術及びカメラに関わり、特に、中間レンズ位置において機械的シャッターレリーズブロッキングを有する伸縮可能なレンズカメラに係る。
【背景技術】
【０００２】
補助レンズを用いて焦点距離を選択的に変える様々なカメラが周知である。これらのカメラにおいて、補助レンズは、要望通りに、光学路に入る又は光学路から外されるよう動かされて、望遠写真設定と広角設定との間で切り替えられる。このタイプのカメラの多くは、レンズを光学路に入る位置及び光学路から外れる位置に動かすために、回転式のタレットを用いる。これらのカメラは、レンズ動作時には、光学路を通る光の伝播が干渉され、また、写真は撮影されるべきではないという欠点を有する。
【０００３】
この問題に対応する対策としては、カバーレンズが、その２つの代替の位置の間にある場合には、写真撮影を阻止するインターロックを、カメラ内に設けることである。特許文献１は、この機能を供給する電気制御系を開示する。これは、効果的な対処法ではあるが、簡単なカメラに対しては高価となる傾向がある。
【０００４】
補助レンズの動作時のシャッタレリーズを阻止する様々な機械的なブロッカが多数説明されている。これらのブロッカは、特定のカメラ機構に対するそれらの適応性と、カメラ本体内におけるそれらの特定の空間的要件に関し制限される。
【０００５】
特許文献２は、シャッタレリーズを与えるレバーの組合わせと、望遠写真−広角スイッチと、補助レンズの動作時のシャッタ作動を阻止するブロッカとを用いる機構を有するカメラを開示する。この機構は比較的複雑で、インパクトシャッタの機械的な作動を可能にせず、カメラの平らな前面と位置合わせされる面に大きい空間を必要とする。
【０００６】
特許文献３は、レンズタレットと、インパクトシャッタと、及び、位置間でのタレットの動作時のシャッタレリーズを阻止するブロッカ機構を有するカメラを開示する。ブロッカ機構は、カメラの平らな前部と平行な平面に大きい空間を必要とする。
【０００７】
特許文献４は、ピボット式の補助レンズを有するカメラを開示する。このカメラは、補助レンズの動作時のシャッタレリーズを阻止するブロッカ機構を含む。ブロッカ機構によるシャッタレリーズのロック及びロック解除は、レンズを保持するカバーユニットの軸方向における前後の動作によって直接的に制御される。
【０００８】
特許文献５は、レンズが交互に使用されるカメラを開示する。レンズは、アクティブ位置と非アクティブ位置との間を直線的に前後にスライドされる。シャッタレリーズは、レンズがこれらの位置間にあるときにはロックされる。ブロッカ機構は、レンズと共に前後に動く部材の一部である。
【特許文献１】米国特許第４，５４４，２４９号
【特許文献２】米国特許第４，９６１，９８４号
【特許文献３】米国特許第４，５２９，２８３号
【特許文献４】米国特許第４，５３６，０６８号
【特許文献５】米国特許第３，９０３，５３７号
【特許文献６】米国特許第６，４９３，５１３号
【発明の開示】
【発明が解決しようとする課題】
【０００９】
小さな空間のみを必要とし、レンズ組立体の回転部により可動である機械的シャッタブロッカを有するカメラフレーム組立体を提供することが好適である。
【課題を解決するための手段】
【００１０】
本発明は、特許請求の範囲により定義付ける。本発明は、広い面において、フレームと、フレームに取付けられるシャッタレリーズを有するカメラフレーム組立体を提供する。シャッタレリーズは、レディ状態からレリーズ状態に選択的に開放可能である。フレームに接合するレンズ基部は、光学軸を画成する。レンズバレルは、レンズ基部に対し第１の位置と第２の位置との間を、光学軸に沿って可動である。ツイストリングは、レンズ基部に対して不変の軸方向関係に保持される。ツイストリングは、右側構成から、中間構成を通り、左側構成に、レンズ基部に対し逆方向に回転可能である。ツイストリングは、レンズバレルに機械的に連結し、ツイストリングを右側構成から左側構成に回転することにより、レンズバレルは第１の位置から第２の位置に動かされる。ブロッカは、フレームに接合する第１の端と、ツイストリングに接続する第２の端と、端間の係合部を有する。係合部は、中間構成では、シャッタレリーズをロックし、右側構成及び左側構成のいずれかでは、シャッタレリーズのロックを解除する。
【発明の効果】
【００１１】
小さい空間のみを必要とし、レンズ組立体の回転部により可動である機械的シャッタブロッカを有する改善されたカメラフレーム組立体を提供することは、本発明の有利な効果である。
【発明を実施するための最良の形態】
【００１２】
本発明の上述した及び他の特徴及び目的と、それらを達成する方法は、添付図面と共に本発明の実施例の説明を読むことにより明らかとなり、且つ、本発明自体をより理解することができるであろう
カメラフレーム組立体１０は、フレーム１２と、フレーム１２又はシャーシに取付けられるレンズモジュール１４を有する。本願で用いる「カメラフレーム組立体」という用語は、完全なカメラ、又は、完全なカメラを形成するよう他の部品と組合すことのできる不完全なカメラのサブユニットを意味する。本発明は、完全な又は不完全な使い捨てカメラであるカメラフレーム組立体に関連して特に有利である。フレーム１２は、カメラフレーム組立体１０の前カバー１５と後カバー１６との間に保持される。図示する実施例では、レンズモジュール１４は、前カバー１５における開口を通り延在する。図５を参照するに、フレームは一対の対向するチャンバ１５０を有し、１つは、フィルムカートリッジ（図示せず）を保持し、もう一方は、フィルムロールを保持することができる。巻き取り機構１５２により、フィルムロールからフィルムが出され、捕捉面１９を横断し、フィルムカートリッジ内に戻される。フラッシュユニット１５４も含むことが可能であり、シャッタと同期される。ビューファインダキーパプレート１５６が、巻き取り機構の一部をフレーム上に保持する。フラッシュユニット及び他の部品は、フレーム２２に取付けられるか、フレーム２２とカバー１５、１６との間に保持される。
【００１３】
カメラフレーム組立体１０は、光線を、撮影レンズ系を通し捕捉面１９まで案内するよう開けられるシャッタ機構１８を含む。図面は、写真フィルムタイプのカメラを示すが、画像のアーカイブ捕捉のために写真フィルムではなく電子イメージャを用いるカメラも用いることが可能である。
【００１４】
シャッタ機構１８は、フレーム１２に取付けられるシャッタレリーズ２０を含む。シャッタレリーズ２０は、ユーザによって、レディ状態からレリーズ状態に開放可能である。本発明の特定の実施例において、シャッタ機構１８は、シャッタドライバ２４（ときとして、「高エネルギーレバー」と称する）により駆動されるインパクトシャッタ２２を含む。これらの実施例において、シャッタドライバ２４は、フィルム巻取り機構４０により充電される。
【００１５】
巻き取り機構４０は、後カバー１６の上部コーナに隣接して回転のために取付けられる、組み合わされたサムホイール及び計量ホイール１００を含む。ホイール１００の一部は、後カバー１６を超えて延在し、その一部は、カメラの操作者によりアクセス可能である。所望される場合は、ユーザにより直接駆動されるのではなく、ホイール１００は、巻き取りノブ、レバー、電気モータ、又は他の類似の装置により駆動されることが可能である。
【００１６】
写真フィルム１０２は、最初に、１つのフィルムチャンバ１５０内のコイルに巻き付けられる。フィルムは、捕捉面１９を横断して第２のフィルムチャンバ１５０内に延在し、この第２のフィルムチャンバ１５０内では、フィルムの端が、フィルムカートリッジ１０８のスプール１０６により保持される。ホイール１００は、ホイール１００の順方向に回転することによりフィルムがカートリッジ１０８内に巻き込まれ、且つ、捕捉面１９を越えて進むようホイール１００をフィルムカートリッジスプール１０６に連結する鍵を有する。逆戻り防止の爪１０９が、ホイール１００のエッジに弾性的に押し付けられるので、反対方向への回転が阻止される。
【００１７】
フィルム測量スプロケット１１０は、フレーム１２によってピボット可能に支持されるシャフト１１２を含む。スプロケット１１０は、フィルム１０２のパーフォレーションに係合し、フィルム１０２が、１フィルムフレームに対応する距離分を進められる度に、完全な一回転を回転する。
【００１８】
アクチュエータディスク１１４と充電カム１１６は、スプロケット１１０と一緒に１つの部品に形成されるか、又は、固定（不動）関係のままであるようスプロケット１１０に組付けられる。アクチュエータディスク１１４は、ノッチ１１８により中断される以外は連続的な円周を有する。充電カム１１６は、一方の面にスパイラルの面を有し、もう一方の面にスパイラルの面を有する。
【００１９】
フィルム計量レバー１２０は、フレーム１２によって、ピボット動作のために支持される。（計量レバー１２０とシャッタドライバ２４は、フレーム１２に設けられる上方向に延在する支柱を受容することができるよう、空の円筒状のコアを有するとして示す。計量レバー１２０及びシャッタドライバ２４は、或いは、フレーム１２及びキーパープレート１５６内の孔に嵌るシャフトを有することも可能である。）計量レバー１２０は、アクティブ方向にコイルバネ１２２により付勢される。計量レバー１２０は、歯である第１のアーム１２４と、爪を有する第２のアーム１２６を有する。計量レバー１２０の歯付きアーム１２４がアクチュエータディスク１１４のノッチ１１８内に受容されると、計量レバー１２０の爪付きアーム１２６は、ホイール１００の歯付きリムに係合し、一時的に、フィルム１０２の前進を阻止する。
【００２０】
シャッタレリーズ部材２０は、シャッタレリーズ２０の弾性アーム１２８のカンチレバー端の付近に位置付けられるシャッタボタン８６を含む。シャッタボタン８６の付近において、アーム１２８は、ラッチ部材２８を担持する垂直タブを有する。
【００２１】
シャッタドライバ２４は、バネ１３０により付勢される。シャッタドライバ２４は、バネ１３０に対抗してシャッタドライバ２４を充電状態に保持するようラッチ部材２８と係合する突片１３２を有する。シャッタドライバ２４は、充電カム１１６に係合するよう位置付けられるカム従動子フィンガ１３４も有する。
【００２２】
図８に示すように、シャッタドライバ２４が充電状態にあり、カメラが、露光を行う状態にあるとき、シャッタドライバ２４の突片１３２が、ラッチ部材２８により係合され、ラッチ部材２８は、バネ１３０に対抗して、シャッタドライバ２４を充電状態に保持する。この前に、フィルム前進時に、スプロケット１１０は、計量レバー１２０の歯付きアーム１２４がアクチュエータディスク１１４のノッチ１１８内にある位置に回転される。このことは、計量爪付きアーム１２６が、バネ１３０の影響下でホイール１００に係合することを可能にする。シャッタドライバ２４のカム従動子フィンガ１３４は、充電カム１１６とは接触していない。
【００２３】
撮影者が、シャッタボタン８６を押して露光を開始すると、シャッタレリーズ２０は、レディ状態からレリーズ状態にレリーズされる。シャッタボタン８６は、ラッチ部材２８を、シャッタドライバ２４の突片１３２との係合から外し、シャッタドライバ２４は、バネ１３０によって、充電状態から放電状態に、すばやくピボットされる。シャッタドライバ２４のこの動作時に、シャッタドライバ２４の突出ストライカ１３６が、シャッタ２２の突起３０に強く当たり、それにより、シャッタ２２は、閉状態から開状態に回転される。これにより、シャッタ２２は、捕捉面１９上に光の像を露光するアパーチャ３２から遠ざかるように動く。アパーチャ３２は、一時的に覆われなくなる。ストライカ１３６が、シャッタの突起３０を越えて動くと、シャッタ２２は、キャリア３１に取付けられるシャッタ戻りバネ３４の付勢力により閉状態に戻される。
【００２４】
フィルム露光が終了した後、ユーザは、シャッタボタン８６を放す。シャッタドライバ２４は、計量レバー１２０の下方向に延在するヨーク１３８と係合する。これにより、計量レバー１２０は、バネ１３０により計量部材１２０にかかる弱い力を負かすことにより、非アクティブ位置に回転される。従って、計量爪付きアーム１２６は、ホイール１００から外れ、計量部材歯付きアーム１２４は、アクチュエータディスクノッチ１１８から引き込まれる。これにより、巻き取り機構４０が動作して、フィルムを次に利用可能なフレームに進めることを可能となる。
【００２５】
撮影者が次にホイール１００を順方向に回転すると、フィルムはスプールに巻き付けられる。これにより、計量スプロケット１１０が同じ方向に回転する。充電カム１１６は、シャッタドライバ２４のフィンガと係合し、シャッタドライバ２４を充電状態に回転させる。
【００２６】
このようなタイプの他の好適な機構４０の様々な種類は、当業者には周知であり、現在利用可能な使い捨てカメラに一般的に用いられる。
【００２７】
レンズモジュール１４は、フレーム１２上の固定位置に取付けられるレンズ基部３６を有する。（「固定」及び類似の用語は、不動及び不変である物理的位置又は関係という意味で本願では用いる。）レンズ基部３６は、光学軸３８を画成する。本発明の特定の実施例では、レンズ基部３６は、基部レンズ素子４０（図１２に破線で示す）を含み、また、１つ以上の追加のレンズ素子（図示せず）を選択的に含む。
【００２８】
レンズ基部３６は、マウント２７、ホルダ２９、及び、キャリア３１を有する。マウント２７は、レンズモジュール１４をフレーム１２に接続し、特定のフレーム設計の要件に見合うよう構成される。マウント２７は、フレーム１２に固定される。マウント２７及び他の部品がフレーム１２に取付けられる方法は、重要ではない。例えば、マウント２７は、摩擦嵌合によって、又は、フックによって、又は、そうでなければ、締め付けられて、接着されて、又は、接合され得る。
【００２９】
マウント２７は、ホルダ２９を受容する前方を向くカップ３３（図１２参照）を有する。マウント２７の中心開口３５は、マスク構造３７により境界付けられる。マスク構造３７は、望ましくない光を遮断し、従って、フレアを減少する。ホルダ２９は、マウント２７に、固定の関係で、スナップ式に留められる、接着される、又は、そうでなければ、締め付けられる。マウント２７及びホルダ２９は、便宜上２つの部品として設けるが、１つの部品として設けることが可能である。
【００３０】
レンズバレル４２が、レンズ基部３６に接続される。レンズバレル４２は、完全に伸長した位置と完全に収縮した位置との間を光学軸３８に沿って前後（２方向矢印２５により示す）に可動である。レンズバレル４２の動作には、光学軸３８周りの回転を含む場合も含まない場合もある。
【００３１】
図１２に示すように、レンズバレル４２は、支持構造として機能するトラベラ４４と、トラベラ４４により保持される前方レンズ素子４６と、トラベラ４４の先端を閉じるキャップ４８を含む。選択的に、１つ以上の追加の光学素子（図示せず）がトラベラ４４内に位置付けられる。前方レンズ素子４６及び後方レンズ素子４０及び他のレンズ素子（ある場合には）は、一緒に、捕捉面１９に光を向ける撮影レンズ系を構成する。
【００３２】
図示する実施例では、トラベラ４４は、円筒状の外壁５０と、光学軸３８に垂直の方向に延在する横壁５２を有する。横壁５２は中央に開口を有し、前方レンズ素子４６を支持する。
【００３３】
ツイストリング６４が、レンズ基部３６に取付けられ、ホルダ２９の前方リム５１により軸方向において定位置に保持される。ツイストリング６４は、レンズ基部３６の周りの少なくとも一部に延在する。ツイストリング６４は、右側構成から、複数の中間構成を介して、左側構成に、レンズ基部３６に対して逆に回転可能である。（本願で用いる他の方向に関する用語と同様に、「右側の」及び「左側の」という用語は、相対的な感覚で用いられ、制限するものではない。）ツイストリング６４は、右側構成から左側構成にツイストリング６４が回転すると、レンズバレル４２がそれぞれ第１の位置と第２の位置との間を動くよう、トラベラ４４に機械的に接続される。ツイストリング６４は、右側構成と左側構成の間の動作時には、軸方向に動かないことが好適である。
【００３４】
トラベラ４４は、レンズ基部３６及びツイストリング６４の部品と共に、伸長−収縮機構を与えるコネクタ５８を含む。コネクタ３８は、３つのトラック従動子６０を有する。トラック従動子６０は、トラベラ４４が、レンズ基部３６に対し回らないようにするために、トラベラ４４について等間隔で距離が置かれる。各トラック従動子６０は、一対の、間隔が置かれる柱６０ａを有する。ツイストリング６４は、トラベラ４４のコネクタ５８を受容し、ツイストリング６４が、右側構成と左側構成との間で回転されるときに、光学軸３８に沿ってトラベラ４４が前後に動くよう、トラベラ４４を押さえる係合部６６を有する。係合部６６は、トラベラ４４のトラック従動子６０の１つを、それぞれ受容する内部トラック６８のセットである。本願に図示する実施例では、トラック６８は、ツイストリング６４の円周壁６７から光学軸に向かって延在するスパイラルリブである。トラック６８は、各トラック従動子６０の柱６０ａの間でグリップされる。或いは、トラック６８は、溝又は一対の平行フェンスであることも可能であり、これらは、溝又はフェンス間に乗るよう構成されるトラック従動子６０を受容する。
【００３５】
トラック従動子６０は、レンズ基部３６のホルダ２９の対応するスロット６２を通りトラック６８に延在する。各スロット４３は、光学軸３８と平行に延在する。図示する実施例では、３つのスロット６２と３つの対応するトラック従動子６０がある。
【００３６】
トラック従動子６０は、ツイストリング６４が回転されると、トラック６８に沿って滑る。トラック従動子６０は、レンズ基部３６のスロット６２により保持されるので、レンズバレル４２は、光学軸に沿って直線状に内側又は外側に進む。動作の後、トラベラ４４は、摩擦により選択される位置に保持される。
【００３７】
係合部６６及び対応するコネクタ５８も変更することができる。例えば、係合部６６とコネクタ５８は、メッシュギア又は等価物であり得る。ツイストリングを用いてレンズバレルを収縮且つ伸長する他の機構は、当業者には周知である。
【００３８】
シャッタ２２は、アパーチャ３２を覆うようキャリア３１に取付けられる。シャッタ２２は、前方に延在する柱１５８についてピボットする。キャリア３１は、トラベラ４４のトラック従動子６０と同様に延出するペッグ５３を有する。ペッグ５３は、各トラック従動子６０の後方においてホルダ２９の各スロット６２内に保持される。３つのペッグ５３が、トラベラ４４の３つのトラック従動子６０と同じ理由で設けられる。シャッタドライバ２４のストライカ１３６は、キャリア３１の軸方向の動作に対応するのに十分に長い。図示する実施例では、この動作は、非常に軽度であり、ストライカは、固定位置シャッタに必要とされるよりも数ミリメートル長い。
【００３９】
ツイストリング６４は、各ペッグ５３に面する３つのカム面（図示せず）に形作られる後方マージン５５を有する。ツイストリング６４が回転されると、ペッグ５３は、各カム面に接して動く。この動作は、キャリア３１が光学軸３８について回転できないようホルダ２９のスロット６２により押さえられる。ペッグ５３及びトラック従動子６０は、所望される場合は、バネ又は他の弾性部材（図示せず）により、それぞれ、トラック及びカム面に付勢されることが可能である。
【００４０】
ブロッカ７０は、フレーム１２に接合する第１の端７２と、ツイストリング６４に接続する第２の端を有する。ブロッカ７０及びツイストリング６４は一緒に動く。ブロッカ７０は、ツイストリング６４が回転すると、光学軸３８を直交する方向に直線状に動く。ブロッカ７０は、第１のロック解除位置から、複数のロック位置を介して、第２のロック解除位置に行ったり来たりする。ブロッカ７０は、ツイストリング６４が中間構成にあるときにロック位置にある。ブロッカ７０は、ツイストリング６４が右側構成及び左側構成にあるときに、第１のロック解除位置及び第２のロック解除位置にそれぞれある。
【００４１】
レンズバレル動作は、ユーザがツイストリング６４を回転する又はブロッカ７０をスライドすることによって手動で行われる。図１を参照するに、１つの特定の実施例では、ブロッカ７０の第１の端は、前カバー１５のスロット７１を介して外側に突出するノブ３９を含む。図１２及び１３に示す別の実施例では、ツイストリング６４が、前カバー１５のスロット７３を介して突出するノブ４１を含む。ノブ４１は、ツイストリング６４を回転するためにユーザにより動かされる。レンズバレル１４は、或いは、手動以外で動かされることも可能である。
【００４２】
ブロッカ７０は、第１の端７２と第２の端７４の間に位置付けられる止め子７６を有する。止め子７６は、ツイストリング６４が中間構成にあるときには、シャッタレリーズ２０をロックし、ツイストリング６４が右側構成及び左側構成のいずれかにあるときには、シャッタレリーズ２０のロックを解除する。止め子７６は、シャッタレリーズ２０と位置合わせされ、ブロッカ７０が任意のロック位置にあるときには、シャッタレリーズ２０のレディ状態からレリーズ状態への動作を干渉する。
【００４３】
図示する実施例では、ブロッカ７０は、フレーム１２に対し摺動可能である第１の端７２を有するレバーである。レバーの第２の端７４は、光学軸３８に平行な軸についてピボット可能である。ブロッカ７０は、２方向矢印７８に示す方向において直線的に位置間を動く。この動作は、光学軸３８に垂直な面にある。図示する実施例では、ブロッカ７０の止め子７６は、ブロッカ７０の主部８０から軸方向で後方に延在する棚である。シャッタレリーズ２０は、レンズ基部３６の背後で、矢印８３により示される空間を通り下方向に延在し、レディ位置とレリーズ位置の間を上下にピボットする主支持部８２を有する。シャッタボタン８６は、主支持部８２から上方向に延在する。ボス８８が、主支持部８２から軸方向で前方に延在する。ボス８８と止め子７６は光学軸３８について位置合わせされる。シャッタボタン８６が押されると、ボス８８は、ブロッカ７０の止め子７６が進んだ領域内に下方向に入る。ブロッカ７０がロック位置にある場合、止め子７６は、ボス８８の運動を阻止する。シャッタレリーズ２０の動作は、完全に阻止されるか、又は、いくらかの動作が可能にされる。どちらの場合においても、利用可能な動作の範囲は、シャッタレリーズ２０のタブ２８が、シャッタドライバ２４から引き込むには不十分である。従って、シャッタドライバ２４は、充電状態に保持され、シャッタ２２は閉じたままである。シャッタボタン８６が押下されないことは、ユーザに、写真が撮れていないことを示す指示も与える。ブロッカ７０が、第１及び第２のロック解除位置にある場合、止め子７６は、ボス８８が動いた領域からは離れ、シャッタレリーズ２０の完全な運動が可能である。この場合、シャッタドライバ２４は解放され、シャッタが一時的に開き、そして、写真が撮影される。
【００４４】
ブロッカ７０の動作が案内される方法は重要ではない。例えば、図示する実施例では、ブロッカの第１の端７２は、フレーム１２の残りの部分から延出するピン９２を受容する長手方向のスロット９０を有する。第２の端７４は、タブ９８から延出するピン９６を受容する孔を有する。タブ９８は、ツイストリング６４から反射外方に延在する。両方のピン９２、９６は、光学軸３８に平行に延在する。この実施例では、ブロッカ７０は、ツイストリング６４の湾曲形状と２つのピン９２、９６の相対位置に対応する湾曲部を有する。この特徴は、部品の様々な位置及び様々な種類の接続に適応するよう変更されることが可能である。例えば、ブロッカ７０は、湾曲ではなく直線であることが可能である。同様に、ブロッカのピン及び開口は、必要な方向に撓む接続により交換され得る。ブロッカは、光学軸３８に垂直な面で動くものとして説明する。この動作は、その面に対し斜めにされることが可能である。
【００４５】
本発明は、本発明の特定の好適な実施例を特に参照しながら詳細に説明したが、本発明の精神及び範囲内において変更及び変形を行うことができることを理解するものとする。
【００４６】
［発明の他の特徴］
他の特徴を、以下の番号を付ける文に説明する。
【００４７】
１．フレームと、前記フレームに取付けられ、レディ状態からレリーズ状態に選択的に開放可能であるシャッタレリーズと、前記フレームに接合し、光学軸を画成するレンズ基部と、前記レンズ基部に対し第１の位置と第２の位置との間を前記光学軸に沿って可動であるレンズバレルと、前記レンズ基部に対し不変の軸方向関係で保持され、右側構成及び左側構成と、前記右側構成と前記左側構成間の複数の中間構成との間を、前記レンズ基部に対し回転可能であり、前記レンズバレルに機械的に連結するツイストリングと、前記フレームに接合する第１の端と前記ツイストリングに接続する第２の端を有し、前記端間に係合部を有し、前記係合部は、前記ツイストリングが前記中間構成にあるときには、前記シャッタレリーズを前記レリーズ状態ではないようにさせ、前記シャッタレリーズは、前記ツイストリングが前記右側構成及び前記左側構成のいずれかにあるときには、ロックが解除されるブロッカと、を含み、前記右側構成から前記左側構成への前記ツイストリングの回転は、前記レンズバレルを前記第１の位置から前記第２の位置に動かす、カメラフレーム組立体。２．前記ブロッカは、前記ツイストリングによって、第１のロック解除位置及び第２のロック解除位置と、前記第１のロック解除位置と前記第２のロック解除位置との間の複数のロック位置との間を並進可能であり、前記ブロッカは、前記ツイストリングが前記中間構成にあるときに、前記ロック位置に置かれ、前記ブロッカは、前記ツイストリングが前記右側構成及び前記左側構成にあるときに、前記第１のロック解除位置及び前記第２のロック解除位置に、それぞれ、置かれる文１記載のカメラフレーム組立体。３．前記第１の端は、前記フレームに対しスライド可能であり、前記第２の端は、前記光学軸と平行な軸についてピボット可能である文２記載のカメラフレーム組立体。４．前記シャッタレリーズに動作可能に接続するシャッタドライバと、前記シャッタドライバにより駆動されるインパクトシャッタとを更に含む文３記載のカメラフレーム組立体。５．前記ブロッカは、前記光学軸と平行な方向において、前記シャッタレリーズの前方に配置される文１記載のカメラフレーム組立体。６．前記ブロッカは、前記光学軸に垂直な面を画成する線に沿って並進可能である文５記載のカメラフレーム組立体。７．前記ブロッカは、前記バレルレンズから間隔が置かれる文６記載のカメラフレーム組立体。８．前記フレームを覆うように取付けられる前カバー及び後カバーを更に含み、前記前カバーはスロットを有し、前記ブロッカは、前記スロットを通り突出するノブを有する文１記載のカメラフレーム組立体。９．前記フレームを覆うように取付けられる前カバー及び後カバーを更に含み、前記前カバーはスロットを有し、前記ツイストリングは、前記スロットを通り突出するノブを有する文１記載のカメラフレーム組立体。１０．前記ブロッカは、前記レンズバレルから間隔が置かれる文１記載のカメラフレーム組立体。１１．第１の端は、前記フレームに対しスライド可能であり、前記第２の端は、前記光学軸と平行な軸についてピボット可能である文１記載のカメラフレーム組立体。１２．前記ブロッカは、前記光学軸と平行な方向において、前記シャッタレリーズの前方に配置される文１１記載のカメラフレーム組立体。１３．前記シャッタレリーズに動作可能に接続するシャッタドライバと、前記シャッタドライバにより駆動されるインパクトシャッタとを更に含む文１記載のカメラフレーム組立体。１４．前記レンズ基部に取付けられる後方レンズ素子を更に含む文１記載のカメラフレーム組立体。
【００４８】
１５．フレームと、前記フレームに取付けられるシャッタレリーズと、光学軸を画成するレンズ基部と、前記レンズ基部に対し不変の軸方向関係で保持され、右側構成及び左側構成と、前記右側構成と前記左側構成の間の複数の中間構成との間を、前記レンズ基部に対して回転可能であるツイストリングと、前記フレームに接合する第１の端と前記ツイストリングに接続する第２の端を有し、前記光学軸を横断する方向において、第１のロック解除位置及び第２のロック解除位置と、前記第１のロック解除位置と前記第２のロック解除位置の間の複数のロック位置との間を、前記ツイストリングによって直線的に可動であるブロッカと、を含み、前記ブロッカは、前記ツイストリングが前記中間構成にあるときに、前記ロック位置に置かれ、前記ブロッカは、前記ツイストリングが前記右側構成及び前記左側構成にあるときに、前記第１のロック解除位置及び前記第２のロック解除位置に、それぞれ、置かれ、前記ブロッカは、前記端間に、係合部を有し、前記係合部は、前記ツイストリングが前記中間構成にあるときに、前記シャッタレリーズをロックし、前記係合部は、前記ツイストリングが前記右側構成及び前記左側構成のいずれかにあるときに、前記シャッタレリーズのロックを解除する、カメラフレーム組立体。１６．前記ツイストリングに機械的に連結されるトラベラを更に含み、前記右側構成から前記左側構成への前記ツイストリングの回転は、前記トラベラを、前記第１の位置から前記第２の位置に動かす文１５記載のカメラフレーム組立体。１７．前記トラベラ内に取付けられる前方レンズ素子と、前記レンズ基部内に取付けられる後方レンズ素子とを更に含む文１６記載のカメラフレーム組立体。１８．前記係合部は、前記ツイストリングと軸方向において位置合わせされる文１７記載のカメラフレーム組立体。１９．前記第１の端は、前記フレームに対しスライド可能であり、前記第２の端は、前記光学軸と平行な軸についてピボット可能である文１８記載のカメラフレーム組立体。２０．前記第１の端は、前記フレームについてスライド可能であり、前記第２の端は、前記光学軸と平行な軸についてピボット可能である文１７記載のカメラフレーム組立体。
【図面の簡単な説明】
【００４９】
【図１】カメラフレーム組立体の実施例を示す平面図である。トラベラは、中間位置にある。
【図２】図１と同じ平面図であるが、トラベラは、広角位置にある図である。
【図３】図１と同じ平面図であるが、トラベラは、望遠写真位置にある図である。
【図４】図１のカメラフレーム組立体を組み込むカメラを示す前方からの斜視図である。
【図５】図４のカメラを示す前方からの分解斜視図である。
【図６】図１のカメラフレーム組立体を示す前方からの斜視図である。トラベラは、広角位置にある。
【図７】図６と同じ斜視図であるが、トラベラは、望遠写真位置にある図である。
【図８】図４のカメラのシャッタ機構を示す正面図である。ブロッカは、ロック位置にあり、シャッタドライバは充電される。
【図９】図８と同じ正面図であるが、ブロッカは、第１のロック解除位置（実線）と第２のロック解除位置（破線）にある。シャッタドライバは、充電状態にあるとして示す。
【図１０】図８と同じ正面図であるが、シャッタドライバは、放電状態にある。
【図１１】図８のシャッタ機構を示す平面図である。ブロッカはロック位置にあり、シャッタドライバは充電される。巻き取り機構の一部及びフィルムカートリッジも示す。
【図１２】図１のレンズモジュールを示す部分分解斜視図である。
【図１３】カメラフレーム組立体の別の実施例を示す前方からの斜視図である。
【図１４】図１３のカメラを示す部分的に分解された前方からの斜視図である。
【符号の説明】
【００５０】
１０  カメラフレーム組立体
１２  フレーム
１４  レンズモジュール
１５  前カバー
１６  後カバー
１８  シャッタ機構
１９  捕捉面
２０  シャッタレリーズ
２２  インパクトシャッタ
２４  シャッタドライバ
２７  マウント
２９  ホルダ
２８  ラッチ部材
３０  突起
３１  キャリア
３２  アパーチャ
３３  前方を向くカップ
３４  シャッタ戻りバネ
３５  中央開口
３６  レンズ基部
３７  マスク構造
３８  光学軸
４０  巻き取り機構
４１  ノブ
４２  レンズバレル
４３  スロット
４４  トラベラ
４６  前方レンズ素子
４８  キャップ
５０  円筒状の外面
５１  前方のリム
５２  横壁
５３  ペッグ
５５  後方マージン
５８  コネクタ
６０  トラック従動子
６０ａ  柱
６２  スロット
６４  ツイストリング
６６  係合部
６７  円周壁
６８  トラック
７０  ブロッカ
７１  スロット
７２  第１の端
７４  第２の端
７６  止め子
８０  主部
８２  主支持部
８８  ボス
８６  シャッタボタン
９２、９６  ピン
９８  タブ
１００  計量ホイール
１０２  写真フィルム
１０６  スプール
１０８  フィルムカートリッジ
１０９  逆戻り防止爪
１１０  スプロケット
１１２  シャフト
１１４  アクチュエータディスク
１１６  充電カム
１１８  ノッチ
１２０  フィルム計量レバー
１２２  コイルバネ
１２４  第１のアーム
１２６  第２のアーム
１２８  弾性アーム
１３０  バネ
１３２  舌
１３４  カム従動子フィンガ
１３６  ストライカ
１３８  ヨーク
１５０  チャンバ
１５２  巻き取り機構
１５４  フラッシュユニット
１５６  ビューファインダキーパプレート
１５８  前方に延在する柱
【図１】
2004206111.tif 000003
【図２】
2004206111.tif 000004
【図３】
2004206111.tif 000005
【図４】
2004206111.tif 000006
【図５】
2004206111.tif 000007
【図６】
2004206111.tif 000008
【図７】
2004206111.tif 000009
【図８】
2004206111.tif 000010
【図９】
2004206111.tif 000011
【図１０】
2004206111.tif 000012
【図１１】
2004206111.tif 000013
【図１２】
2004206111.tif 000014
【図１３】
2004206111.tif 000015
【図１４】
2004206111.tif 000016